(57)【要約】【課題】電線の噛み込みを抑制すること。【解決手段】電線６０を通す電線孔３０を分割した第１半孔部３１及び第２半孔部３５と、電線孔３０の軸心方向視における形状が第１半孔部３１に沿った形状で形成され、第１半孔部３１から電線孔３０の軸心方向に延びる電線固定部４０と、電線６０と電線固定部４０とを一体に巻き付けることにより、電線６０を電線固定部４０に対して固定する固定部材５０と、を備え、電線固定部４０の、第１半孔部３１の周方向において形成される範囲は、第１半孔部３１の周方向における電線固定部４０の両端部４１が、第１半孔部３１の周方向における両端部３２から離間する範囲に形成される。【選択図】図８
2020089160.tif 000002
【特許請求の範囲】
【請求項１】
電線を通す電線孔を分割した第１半孔部及び第２半孔部と、
前記電線孔の軸心方向視における形状が前記第１半孔部に沿った形状で形成され、前記第１半孔部から前記電線孔の軸心方向に延びる電線固定部と、
前記電線と前記電線固定部とを一体に巻き付けることにより、前記電線を前記電線固定部に対して固定する固定部材と、
を備え、
前記電線固定部の、前記第１半孔部の周方向において形成される範囲は、前記第１半孔部の周方向における前記電線固定部の両端部が、前記第１半孔部の周方向における両端部から離間する範囲に形成されることを特徴とする電線固定構造。
【請求項２】
前記電線固定部には、前記電線孔の軸心方向において前記第１半孔部が位置する側の反対側の端部に、前記電線孔の軸心方向への前記固定部材の移動を規制する引っ掛け部が形成される請求項１に記載の電線固定構造。
【請求項３】
前記引っ掛け部の、前記第１半孔部の周方向において形成される範囲は、前記第１半孔部の周方向において前記電線固定部が形成される範囲よりも広い範囲に形成される請求項２に記載の電線固定構造。
【請求項４】
電子部品を収容する筐体と、
前記筐体に設けられる電線固定構造とを備え、
前記電線固定構造は、
電線を通す電線孔を分割した第１半孔部及び第２半孔部と、
前記電線孔の軸心方向視における形状が前記第１半孔部に沿った形状で形成され、前記第１半孔部から前記電線孔の軸心方向に延びる電線固定部と、
前記電線と前記電線固定部とを一体に巻き付けることにより、前記電線を前記電線固定部に対して固定する固定部材と、
を備え、
前記電線固定部の、前記第１半孔部の周方向において形成される範囲は、前記第１半孔部の周方向における前記電線固定部の両端部が、前記第１半孔部の周方向における両端部から離間する範囲に形成されることを特徴とする電気接続箱。
【請求項５】
導電性を有する配索材と、
前記配索材と接続される電気接続箱とを備え、
前記電気接続箱は、
電子部品を収容する筐体と、
前記筐体に設けられる電線固定構造とを備え、
前記電線固定構造は、
前記配索材を構成する電線を通す電線孔を分割した第１半孔部及び第２半孔部と、
前記電線孔の軸心方向視における形状が前記第１半孔部に沿った形状で形成され、前記第１半孔部から前記電線孔の軸心方向に延びる電線固定部と、
前記電線と前記電線固定部とを一体に巻き付けることにより、前記電線を前記電線固定部に対して固定する固定部材と、
を備え、
前記電線固定部の、前記第１半孔部の周方向において形成される範囲は、前記第１半孔部の周方向における前記電線固定部の両端部が、前記第１半孔部の周方向における両端部から離間する範囲に形成されることを特徴とするワイヤハーネス。
【発明の詳細な説明】
【技術分野】
【０００１】
本発明は、電線固定構造、電気接続箱、及びワイヤハーネスに関する。
【背景技術】
【０００２】
自動車等の車両に搭載される電気接続箱には、電気接続箱の内外に亘って配索される電線が通る電線孔が形成されており、電線孔には、電線を固定するための部材が形成されている。例えば、特許文献１に記載された電気接続箱には、電線を粘着テープによって固定するためのベラが形成されている。
【先行技術文献】
【特許文献】
【０００３】
【特許文献１】特開２０１２−２９４３１号公報
【発明の概要】
【発明が解決しようとする課題】
【０００４】
しかしながら、電線が通る電線孔が、例えば半割りのような分割構造になっている場合において、分割された電線孔の一方に対して電線が配索された状態で、分割された部材同士を組み合わせる場合、組み合わせる部材同士の間に電線が噛み込まれてしまう虞がある。これにより、電気接続箱の適切な組み立てが困難になる虞があった。
【０００５】
本発明は、上記に鑑みてなされたものであって、電線の噛み込みを抑制することのできる電線固定構造、電気接続箱、及びワイヤハーネスを提供することを目的とする。
【課題を解決するための手段】
【０００６】
上述した課題を解決し、目的を達成するために、本発明に係る電線固定構造は、電線を通す電線孔を分割した第１半孔部及び第２半孔部と、前記電線孔の軸心方向視における形状が前記第１半孔部に沿った形状で形成され、前記第１半孔部から前記電線孔の軸心方向に延びる電線固定部と、前記電線と前記電線固定部とを一体に巻き付けることにより、前記電線を前記電線固定部に対して固定する固定部材と、を備え、前記電線固定部の、前記第１半孔部の周方向において形成される範囲は、前記第１半孔部の周方向における前記電線固定部の両端部が、前記第１半孔部の周方向における両端部から離間する範囲に形成されることを特徴とする。
【０００７】
また、上記電線固定構造において、前記電線固定部には、前記電線孔の軸心方向において前記第１半孔部が位置する側の反対側の端部に、前記電線孔の軸心方向への前記固定部材の移動を規制する引っ掛け部が形成されることが好ましい。
【０００８】
また、上記電線固定構造において、前記引っ掛け部の、前記第１半孔部の周方向において形成される範囲は、前記第１半孔部の周方向において前記電線固定部が形成される範囲よりも広い範囲に形成されることが好ましい。
【０００９】
また、上述した課題を解決し、目的を達成するために、本発明に係る電気接続箱は、電子部品を収容する筐体と、前記筐体に設けられる電線固定構造とを備え、前記電線固定構造は、電線を通す電線孔を分割した第１半孔部及び第２半孔部と、前記電線孔の軸心方向視における形状が前記第１半孔部に沿った形状で形成され、前記第１半孔部から前記電線孔の軸心方向に延びる電線固定部と、前記電線と前記電線固定部とを一体に巻き付けることにより、前記電線を前記電線固定部に対して固定する固定部材と、を備え、前記電線固定部の、前記第１半孔部の周方向において形成される範囲は、前記第１半孔部の周方向における前記電線固定部の両端部が、前記第１半孔部の周方向における両端部から離間する範囲に形成されることを特徴とする。
【００１０】
また、上述した課題を解決し、目的を達成するために、本発明に係るワイヤハーネスは、導電性を有する配索材と、前記配索材と接続される電気接続箱とを備え、前記電気接続箱は、電子部品を収容する筐体と、前記筐体に設けられる電線固定構造とを備え、前記電線固定構造は、前記配索材を構成する電線を通す電線孔を分割した第１半孔部及び第２半孔部と、前記電線孔の軸心方向視における形状が前記第１半孔部に沿った形状で形成され、前記第１半孔部から前記電線孔の軸心方向に延びる電線固定部と、前記電線と前記電線固定部とを一体に巻き付けることにより、前記電線を前記電線固定部に対して固定する固定部材と、を備え、前記電線固定部の、前記第１半孔部の周方向において形成される範囲は、前記第１半孔部の周方向における前記電線固定部の両端部が、前記第１半孔部の周方向における両端部から離間する範囲に形成されることを特徴とする。
【発明の効果】
【００１１】
本発明に係る電線固定構造、電気接続箱、及びワイヤハーネスは、電線固定部の、第１半孔部の周方向において形成される範囲が、電線固定部の両端部が第１半孔部の両端部から離間する範囲になっており、電線は、固定部材によって電線固定部に固定するため、電線を第１半孔部の端部から離間させることができる。これにより、電線固定部に電線を固定した状態で、第１半孔部と第２半孔部とを結合する際に、電線が第１半孔部の端部と第２半孔部とによって挟まれることを抑制することができる。この結果、電線の噛み込みを抑制することができる、という効果を奏する。
【図面の簡単な説明】
【００１２】
【図１】図１は、実施形態に係る電気接続箱の斜視図である。
【図２】図２は、図１のＡ−Ａ矢視図である。
【図３】図３は、図２のＢ−Ｂ矢視図である。
【図４】図４は、図２のＣ−Ｃ矢視図である。
【図５】図５は、図２に示す第１分割部の斜視図である。
【図６】図６は、図５に示す第１半孔部の正面図である。
【図７】図７は、図６のＤ−Ｄ矢視図である。
【図８】図８は、電線固定部に電線を固定した状態の説明図である。
【図９】図９は、図８のＥ−Ｅ矢視図である。
【図１０】図１０は、図８に示すフレームにアンダーカバーを取り付けた状態の説明図である。
【発明を実施するための形態】
【００１３】
以下に、本発明に係る電線固定構造、電気接続箱、及びワイヤハーネスの実施形態を図面に基づいて詳細に説明する。なお、この実施形態によりこの発明が限定されるものではない。また、下記実施形態における構成要素には、当業者が置換可能、且つ、容易に想到できるもの、或いは実質的に同一のものが含まれる。
【００１４】
なお、以下の説明では、電気接続箱１の通常の使用態様での設置状態における水平方向を、本実施形態においても水平方向として説明し、上方を本実施形態においても上方または上側として説明し、下方を本実施形態においても下方または下側として説明する。
【００１５】
［実施形態］
図１は、実施形態に係る電気接続箱１の斜視図である。実施形態に示す電気接続箱１は、自動車等の車両に搭載され、ワイヤハーネスＷＨに組み込まれる。ワイヤハーネスＷＨは、例えば、車両に搭載される各機器間の接続のために、電源供給や信号通信に用いられる複数の配索材Ｗを束にして集合部品とし、コネクタ等で複数の配索材Ｗを各機器に接続するようにしたものである。ワイヤハーネスＷＨは、導電性を有する配索材Ｗと、配索材Ｗに電気的に接続される電気接続箱１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。ワイヤハーネスＷＨは、複数の配索材Ｗを束ねて集約すると共に、束ねられた配索材Ｗの端末に設けられたコネクタ等を介して電気接続箱１が電気的に接続される。ワイヤハーネスＷＨは、この他、さらに、グロメット、プロテクタ、固定具等を含んで構成されてもよい。
【００１６】
電気接続箱１は、コネクタ、ヒューズ、リレー、コンデンサ、分岐部、電子制御ユニット等の電装品を集約して内部に収容するものである。電気接続箱１は、例えば、車両のエンジンルームや車両室内に設置される。電気接続箱１は、配索材Ｗ等を介して、バッテリ等の電源と、車両内に搭載される各種電子機器との間に接続されている。電気接続箱１は、電源から供給された電力を車両内の各種電子機器に分配する。電気接続箱１は、ジャンクションボックス、ヒューズボックス、リレーボックスなどとも呼ばれる場合があるが、本実施形態ではこれらを総称して電気接続箱と呼ぶ。
【００１７】
具体的には、電気接続箱１は、筐体１０と、種々の電子部品５とを備えている。筐体１０は、樹脂材料からなり、電子部品５を収容することが可能になっている。また、筐体１０は、フレーム１２と、フレーム１２の上部に取り付けられるアッパーカバー（図示省略）と、フレーム１２の下部に取り付けられるアンダーカバー１３とを有している。なお、図１は、アッパーカバーが取り外された状態を示す図になっている。
【００１８】
筐体１０には、配索材Ｗを構成する電線６０が筐体１０の内外に亘って通る、電線６０用の通路である電線通路２０が設けられている。電線通路２０を通る電線６０は、複数の電線が束ねられたものになっている。電線通路２０は、筐体１０における下端寄りの位置に配設されている。また、本実施形態では、筐体１０は略直方体状の形状で形成されており、電線通路２０は、直方体の角部における下端寄りの位置で、電線６０を略水平方向に通すことのできる向きで形成されている。
【００１９】
図２は、図１のＡ−Ａ矢視図である。図３は、図２のＢ−Ｂ矢視図である。図４は、図２のＣ−Ｃ矢視図である。電線通路２０は、略円筒状の形状で形成されており、円筒の先端に、略円形状に開口する電線孔３０が形成されている。電線孔３０は、略水平方向に向かって開口し、電線通路２０を通る電線６０（図１参照）を通す孔になっている。また、電線通路２０は、筐体１０におけるフレーム１２とアンダーカバー１３とに亘って形成されている。このため、電線通路２０は、電線通路２０におけるフレーム１２側に形成される部分である第１分割部２１と、電線通路２０におけるアンダーカバー１３側に形成される部分である第２分割部２２とを有している。即ち、電線通路２０は、フレーム１２に形成される第１分割部２１と、アンダーカバー１３に形成される第２分割部２２とに分割されており、フレーム１２にアンダーカバー１３が取り付けられることより、第１分割部２１と第２分割部２２も結合し、電線通路２０が形成される。
【００２０】
また、電線通路２０が分割されることに、電線通路２０の開口部である電線孔３０も分割されている。即ち、電線孔３０は、電線通路２０における第１分割部２１に形成される第１半孔部３１と、電線通路２０における第２分割部２２に形成される第２半孔部３５とに分割されている。第１半孔部３１と第２半孔部３５とは、略円形状に形成される電線孔３０が分割されることにより、略半円状の形状で分割されている。つまり、第１半孔部３１は、電線孔３０における上半側を形成する半円になっており、第２半孔部３５は、電線孔３０における下半側を形成する半円になっている。このように形成される電線孔３０は、フレーム１２にアンダーカバー１３が取り付けられ、第１分割部２１と第２分割部２２が結合して電線通路２０が形成されることにより、第１半孔部３１と第２半孔部３５も結合し、電線孔３０が形成される。
【００２１】
図５は、図２に示す第１分割部２１の斜視図である。図６は、図５に示す第１半孔部３１の正面図である。図７は、図６のＤ−Ｄ矢視図である。第１半孔部３１には、電線固定部４０が配設されている。電線固定部４０は、電線６０（図９参照）を固定する部位になっており、これにより、電線通路２０は、本実施形態に係る電線固定構造１００を有している。本実施形態に係る電線固定構造１００は、第１半孔部３１及び第２半孔部３５（図２参照）と、電線固定部４０と、引っ掛け部４５と、後述する固定部材５０（図８、図９参照）とを備える。電線固定部４０は、第１半孔部３１から電線孔３０（図２参照）の形状である円の軸心方向に延びる部材になっており、電線孔３０の軸心方向視における形状が、第１半孔部３１に沿った形状で形成されている。つまり、電線固定部４０は、第１半孔部３１から、第１分割部２１が位置する側の反対側に向かって突出し、電線孔３０の軸心方向に沿って延びている。
【００２２】
また、電線固定部４０は、略半円状に形成される第１半孔部３１の周方向における範囲のうち、一部の範囲に形成される。詳しくは、電線固定部４０の、第１半孔部３１の周方向において形成される範囲は、第１半孔部３１の周方向における電線固定部４０の両端部４１が、第１半孔部３１の周方向における両端部３２から離間する範囲に形成されている。本実施形態では、電線固定部４０は、第１半孔部３１の上端近傍の範囲に配設されており、電線固定部４０の一方の端部４１と、この端部４１に近い側の第１半孔部３１の端部３２との距離、及び電線固定部４０の他方の端部４１と、この端部４１に近い側の第１半孔部３１の端部３２との距離は、ほぼ同じ大きさになっている。即ち、電線固定部４０は、第１半孔部３１の周方向の範囲における、中央付近の位置に配設されている。
【００２３】
また、電線固定部４０には、電線孔３０の軸心方向において第１半孔部３１が位置する側の反対側の端部に、引っ掛け部４５が形成されている。即ち、引っ掛け部４５は、電線孔３０の軸心方向における電線固定部４０の先端に配設されている。引っ掛け部４５は、電線孔３０の軸心方向における電線固定部４０の先端に、電線孔３０の軸心方向における厚さが所定の厚さで形成されており、第１半孔部３１の形状である半円の径方向における外側、或いは、電線孔３０の形状である円の径方向における外側に向かって、電線固定部４０から所定の幅で突出して形成されている。換言すると、引っ掛け部４５は、厚さ方向が電線孔３０の軸心方向になり、幅方向が電線孔３０の径方向になり、電線孔３０の軸心方向視において電線固定部４０に沿って湾曲する、略板状、或いは帯状の形状で形成されている。
【００２４】
電線固定部４０に沿って湾曲する引っ掛け部４５の、第１半孔部３１の周方向において形成される範囲は、第１半孔部３１の周方向において電線固定部４０が形成される範囲よりも広い範囲に形成されている。つまり、引っ掛け部４５は、第１半孔部３１の周方向における端部４６が、電線固定部４０の端部４１よりも第１半孔部３１の端部３２に近付く方向に、電線固定部４０に対して第１半孔部３１の周方向に突出して形成されている。その際に、引っ掛け部４５の一方の端部４６と、この端部４６に近い側の電線固定部４０の端部４１との距離、及び引っ掛け部４５の他方の端部４６と、この端部４６に近い側の電線固定部４０の端部４１との距離は、ほぼ同じ大きさになっている。
【００２５】
先端に引っ掛け部４５が設けられる電線固定部４０は、引っ掛け部４５の端部４６が電線固定部４０の端部４１よりも第１半孔部３１の周方向に突出する形態で形成されているため、電線固定部４０と引っ掛け部４５を一体で見た場合には、第１半孔部３１の周方向における両端が、当該周方向に切り欠かれた形態になっている。電線固定部４０の端部４１は、このように電線固定部４０と引っ掛け部４５とを一体に見た場合における、第１半孔部３１の周方向の両端に形成される切欠き部４２によって切り欠かれた部分になっている。
【００２６】
本実施形態に係る電線固定構造１００、電気接続箱１、及びワイヤハーネスＷＨは、以上のような構成からなり、次に、その作用について説明する。電線通路２０に電線６０を通す際には、フレーム１２とアンダーカバー１３とを結合せず、電線通路２０が第１分割部２１と第２分割部２２とに分割されている状態で通す。その際に、電気接続箱１に収容される電子部品５等の各部品は、フレーム１２に収容されるため、分割された電線通路２０に通す電線６０は、電線通路２０におけるフレーム１２側に設けられる部位である第１分割部２１に通す。
【００２７】
図８は、電線固定部４０に電線６０を固定した状態の説明図である。図９は、図８のＥ−Ｅ矢視図である。第１分割部２１に通す電線６０は、フレーム１２の内側から第１分割部２１の内周面側を通し、第１半孔部３１からフレーム１２の外に配索される。このように、第１分割部２１の内周面側を通って第１半孔部３１からフレーム１２の外に配索される電線６０は、固定部材５０によって電線固定部４０に固定される。電線６０を電線固定部４０に固定する固定部材５０は、帯状の部材からなり、例えば、伸縮可能なゴム製のバンドや、樹脂製のいわゆる結束バンド等が用いられる。固定部材５０は、電線６０と電線固定部４０とを一体に巻き付けることにより、電線６０を電線固定部４０に対して固定することが可能になっている。
【００２８】
固定部材５０を巻き付ける電線固定部４０は、第１半孔部３１から、第１分割部２１が位置する側の反対側に向かって突出しているため、固定部材５０は、第１半孔部３１の近傍における、電線孔３０の軸心方向において電線固定部４０が配設される位置で、電線６０と電線固定部４０とを一体に巻き付ける。詳しくは、固定部材５０を巻き付ける際には、電線孔３０の軸心方向視において第１半孔部３１に沿った形状で形成される電線固定部４０の外周面側を通し、第１分割部２１の内周面側に配索される電線６０の外周に沿って固定部材５０を巻き付ける。これにより、固定部材５０は、電線６０と電線固定部４０とを一体に巻き付け、電線６０を電線固定部４０に固定する。
【００２９】
換言すると、固定部材５０は、電線孔３０の軸心方向における第１半孔部３１と引っ掛け部４５との間の位置で、電線６０と電線固定部４０とを一体に巻き付けて電線６０を電線固定部４０に固定する。引っ掛け部４５は、第１半孔部３１の形状である半円の径方向における外側に向かって電線固定部４０から突出しているため、電線固定部４０の外周面側に巻き付けられる固定部材５０は、電線孔３０の軸心方向への移動が、引っ掛け部４５によって規制される。
【００３０】
電線６０と電線固定部４０とに固定部材５０を巻き付けると、固定部材５０には張力が発生し、電線６０は、この張力によって電線固定部４０に近付いた状態なる。電線固定部４０は、第１半孔部３１の両端部３２から離間し、第１半孔部３１の上端近傍の範囲に配設されているため、電線６０が電線固定部４０に近付いた状態で固定された場合には、電線６０は、第１半孔部３１における上端側に寄った状態で固定される。これにより、電線６０は、第１半孔部３１の両端部３２から離れた状態で固定される。
【００３１】
図１０は、図８に示すフレーム１２にアンダーカバー１３を取り付けた状態の説明図である。固定部材５０によって電線固定部４０に電線６０を固定したら、フレーム１２にアンダーカバー１３を取り付ける。アンダーカバー１３には、電線通路２０の第２分割部２２が設けられているため、フレーム１２にアンダーカバー１３を取り付けた際には、フレーム１２の第１分割部２１と、アンダーカバー１３の第２分割部２２も結合される。これにより、電線通路２０が形成され、電線通路２０の端部には、第１分割部２１の第１半孔部３１と、第２分割部２２の第２半孔部３５とにより、電線孔３０が形成される。
【００３２】
その際に、固定部材５０によって電線固定部４０に固定された電線６０は、第１半孔部３１における上端側に寄り、第１半孔部３１の両端部３２から離れた状態で固定されているため、第２半孔部３５は、電線６０を噛み込むことなく、第１半孔部３１に結合される。これにより、電線通路２０を通る電線６０は、電線孔３０からフレーム１２の外まで通される状態になり、電線６０は、電線孔３０を通って筐体１０の内外に亘って配索される。
【００３３】
以上の実施形態に係る電線固定構造１００は、電線固定部４０の、第１半孔部３１の周方向において形成される範囲が、電線固定部４０の両端部４１が第１半孔部３１の両端部３２から離間する範囲になっており、電線６０は、固定部材５０によって電線固定部４０に固定するため、電線６０を第１半孔部３１の端部３２から離間させることができる。これにより、電線固定部４０に電線６０を固定した状態で、第１半孔部３１と第２半孔部３５とを結合する際に、電線６０が第１半孔部３１の端部３２と第２半孔部３５とによって挟まれることを抑制することができる。この結果、電線６０の噛み込みを抑制することができる。
【００３４】
また、電線固定部４０には引っ掛け部４５が形成されているため、電線固定部４０に電線６０を固定する固定部材５０が、電線固定部４０から外れることを抑制することができる。これにより、電線６０を、固定部材５０によってより確実に電線固定部４０に固定することができる。この結果、電線６０の噛み込みをより確実に抑制することができる。
【００３５】
また、第１半孔部３１の周方向において引っ掛け部４５が形成される範囲は、電線固定部４０が形成される範囲よりも広い範囲に形成されるため、電線孔３０の軸心方向視における電線６０の大きさ、即ち、電線孔３０通る電線６０の太さに関わらず、電線６０と電線固定部４０とを一体に巻き付けた固定部材５０が電線固定部４０から外れることを抑制することができる。これにより、電線６０の太さに関わらず、電線６０を固定部材５０によってより確実に電線固定部４０に固定することができる。この結果、電線６０の太さに関わらず、より確実に電線６０の噛み込みを抑制することができる。
【００３６】
また、実施形態に係る電気接続箱１は、電子部品５を収容する筐体１０に本実施形態に係る電線固定構造１００が用いられるため、電線６０を第１半孔部３１の端部３２から離間させて電線固定部４０に固定することができ、電線６０が第１半孔部３１の端部３２と第２半孔部３５とによって挟まれることを抑制することができる。この結果、電線６０の噛み込みを抑制することができる。
【００３７】
また、実施形態に係るワイヤハーネスＷＨは、導電性を有する配索材Ｗと電気接続箱１とを備え、電気接続箱１は、筐体１０に本実施形態に係る電線固定構造１００が用いられるため、電線６０を第１半孔部３１の端部３２から離間させて電線固定部４０に固定することができる。この結果、電線６０の噛み込みを抑制することができる。
【００３８】
［変形例］
なお、上述した実施形態では、電線６０を電線固定部４０に固定する固定部材５０の一例として、ゴム製のバンドや樹脂製の結束バンドが挙げられているが、固定部材５０は、これ以外が用いられてもよい。固定部材５０は、例えば、粘着テープが用いられてもよい。固定部材５０は、電線６０を電線固定部４０に対して適切に固定することができるものであれば、その態様は問わない。
【００３９】
また、上述した実施形態では、電線固定部４０は、第１半孔部３１の周方向の範囲における中央付近の位置に配設されているが、電線固定部４０が配設される位置は、第１半孔部３１の周方向において偏っていてもよい。電線固定部４０は、電線固定部４０の両端部４１が第１半孔部３１の両端部３２から離間する位置に配設されていれば、第１半孔部３１の周方向における配設位置は問わない。同様に、引っ掛け部４５の配設位置も、第１半孔部３１の周方向における配設位置が、電線固定部４０に対して偏っていてもよい。
【００４０】
また、上述した本発明の実施形態、変形例に係る電気部材締結構造及び電気接続箱は、上述した実施形態、変形例に限定されず、特許請求の範囲に記載された範囲で種々の変更が可能である。本実施形態、変形例に係る電気部材締結構造及び電気接続箱は、以上で説明した各実施形態、変形例の構成要素を適宜組み合わせることで構成してもよい。
【符号の説明】
【００４１】
１  電気接続箱
５  電子部品
１０  筐体
１２  フレーム
１３  アンダーカバー
２０  電線通路
２１  第１分割部
２２  第２分割部
３０  電線孔
３１  第１半孔部
３２  端部
３５  第２半孔部
４０  電線固定部
４１  端部
４２  切欠き部
４５  引っ掛け部
４６  端部
５０  固定部材
６０  電線
１００  電線固定構造
Ｗ  配索材
ＷＨ  ワイヤハーネス
【図１】
2020089160.tif 000003
【図２】
2020089160.tif 000004
【図３】
2020089160.tif 000005
【図４】
2020089160.tif 000006
【図５】
2020089160.tif 000007
【図６】
2020089160.tif 000008
【図７】
2020089160.tif 000009
【図８】
2020089160.tif 000010
【図９】
2020089160.tif 000011
【図１０】
2020089160.tif 000012
【手続補正書】
【提出日】令和1年9月5日(2019.9.5)
【手続補正１】
【補正対象書類名】図面
【補正対象項目名】図２
【補正方法】変更
【補正の内容】
【図２】
2020089160.tif 000013
【手続補正２】
【補正対象書類名】図面
【補正対象項目名】図３
【補正方法】変更
【補正の内容】
【図３】
2020089160.tif 000014
【手続補正３】
【補正対象書類名】図面
【補正対象項目名】図１０
【補正方法】変更
【補正の内容】
【図１０】
2020089160.tif 000015